(57)【要約】【課題】ループスルー回路を備える放送受信装置における消費電力を抑制する。【解決手段】アンテナへ供給する電源電圧を生成して出力可能な電源供給部を備える放送受信装置であって、上記アンテナにより受信された放送信号を入力端子により入力し出力端子から出力するループスルー回路と、上記電源供給部により生成された電源電圧を上記ループスルー回路へ供給するループスルー電源供給回路と、を備える。上記ループスルー回路を稼働させるための電源電圧を生成して上記ループスルー回路へ出力可能な第二電源供給部を更に備え、スタンバイ状態において、上記第二電源供給部を停止させ、上記ループスルー電源供給回路により電源電圧を上記ループスルー回路へ供給する。【選択図】図２
2014022790.tif 000002
【特許請求の範囲】
【請求項１】
アンテナへ供給する電源電圧を生成して出力可能な電源供給部を備える放送受信装置であって、
上記アンテナにより受信された放送信号を入力端子により入力し出力端子から出力するループスルー回路と、
上記電源供給部により生成された電源電圧を上記ループスルー回路へ供給するループスルー電源供給回路と、を備えることを特徴とする放送受信装置。
【請求項２】
上記ループスルー回路を稼働させるための電源電圧を生成して上記ループスルー回路へ出力可能な第二電源供給部を更に備え、
スタンバイ状態において、上記第二電源供給部を停止させ、上記ループスルー電源供給回路により電源電圧を上記ループスルー回路へ供給することを特徴とする請求項１に記載の放送受信装置。
【請求項３】
上記ループスルー電源供給回路は、上記電源供給部により生成された電源電圧を所定値まで低下させて上記ループスルー回路へ供給することを特徴とする請求項１または請求項２に記載の放送受信装置。
【請求項４】
上記ループスルー電源供給回路は、上記電源供給部により生成された電源電圧を上記ループスルー回路の出力端子と接続する他の放送受信装置へも供給可能であることを特徴とする請求項１〜請求項３のいずれか一項に記載の放送受信装置。
【発明の詳細な説明】
【技術分野】
【０００１】
本発明は、放送受信装置に関する。
【背景技術】
【０００２】
テレビジョンや録画装置（レコーダ）等に代表される各種放送受信装置は、単体でアンテナと接続されることもあれば、複数の装置がアンテナに対して直列に接続されることもある。この場合、アンテナは、放送受信装置から電源電圧の供給を受けて駆動する。関連技術として、アンテナのコンバータにケーブルを介して電源電圧を供給可能な機能を有する受信装置が知られている（特許文献１〜５参照。）。
【先行技術文献】
【特許文献】
【０００３】
【特許文献１】特開２００９‐６０４８２号公報
【特許文献２】特開２００３‐２８３３５１号公報
【特許文献３】特開２００１‐２３７７３２号公報
【特許文献４】特開２００２‐４３９６９号公報
【特許文献５】特開２０１１‐２４４３３５号公報
【発明の概要】
【発明が解決しようとする課題】
【０００４】
上述したように複数の放送受信装置がアンテナに対して直列接続される場合、アンテナで受信された放送信号を最後段（アンテナから見て末端）にある装置まで伝送する必要がある。そのため、各装置は、自機内で当該放送信号を入力し復調等するための回路とは別に、当該放送信号を通過させて後段の装置へ伝送するためのループスルー回路を備える。このような状況においては、各装置は常にループスルー回路を稼働状態としておく必要があり、そのため各装置における消費電力が高いものとなっていた。
【０００５】
本発明は少なくとも上記課題を解決するためになされたものであり、ループスルー回路を備える放送受信装置における消費電力を従来よりも抑制することが可能な技術を提供する。
【課題を解決するための手段】
【０００６】
本発明の態様の一つは、アンテナへ供給する電源電圧を生成して出力可能な電源供給部を備える放送受信装置であって、上記アンテナにより受信された放送信号を入力端子により入力し出力端子から出力するループスルー回路と、上記電源供給部により生成された電源電圧を上記ループスルー回路へ供給するループスルー電源供給回路と、を備える。
【０００７】
当該構成によれば、ループスルー回路は、電源供給部がアンテナへ供給する電源電圧を利用して稼働する。言い換えると、放送受信装置は、ループスルー回路を稼働させる専用の電源供給の構成を稼働させる必要が無い。そのため、放送受信装置における消費電力を的確に抑えることができる。
【図面の簡単な説明】
【０００８】
【図１】放送受信装置を含むシステムを概略的に例示する図。
【図２】コンバータと複数のループスルー回路との接続態様を例示する図。
【図３】主に図２に示したループスルー回路の詳細な構成を示す図。
【図４】コンバータと複数のループスルー回路との接続態様の他の例を示す図。
【図５】主に図４に示したループスルー回路の詳細な構成を示す図。
【発明を実施するための形態】
【０００９】
本発明の実施形態として、上記ループスルー回路を稼働させるための電源電圧を生成して上記ループスルー回路へ出力可能な第二電源供給部を更に備え、スタンバイ状態において、上記第二電源供給部を停止させ、上記ループスルー電源供給回路により電源電圧を上記ループスルー回路へ供給するとしてもよい。
本発明の実施形態として、上記ループスルー電源供給回路は、上記電源供給部により生成された電源電圧を所定値まで低下させて上記ループスルー回路へ供給するとしてもよい。
本発明の実施形態として、上記ループスルー電源供給回路は、上記電源供給部により生成された電源電圧を上記ループスルー回路の出力端子と接続する他の放送受信装置へも供給可能であるとしてもよい。
【００１０】
本発明の思想は、放送受信装置としてだけではなく、放送受信装置内の一部の回路構成（少なくとも上記ループスルー回路と上記ループスルー電源供給回路とを備える構成）としても把握することが可能である。また、放送受信装置や当該一部の回路構成により実現される処理を有する方法の発明も成立する。
【００１１】
以下、図面を参照しながら本発明の実施形態を更に説明する。
図１は、本実施形態における放送受信装置２０を含むシステムを概略的に例示する図である。当該システムは、放送信号を受信するためのアンテナ１０と、アンテナ１０に直列接続された複数の放送受信装置２０とを含む。アンテナ１０は、例えば、衛星放送を受信可能なアンテナであり、受信電波の増幅や周波数変換を行うコンバータ１１を有する。放送受信装置２０としては、チューナを備えアンテナを介して放送信号を受信可能な機能を備える装置が該当し、具体的には、テレビジョンや録画装置やセットトップボックス（ＳＴＢ）等である。
【００１２】
各放送受信装置２０は、テレビジョンや録画装置やセットトップボックス（ＳＴＢ）等としての一般的な構成とともに、ループスルー回路２１を備える。ループスルー回路２１を備えることで、各放送受信装置２０は、前段側から入力した放送信号を後段側へ伝送することができる。なお本実施形態では、アンテナ１０に近い側を前段側、アンテナ１０から遠い側を後段側と呼ぶ。
【００１３】
図２は、図１に示したコンバータ１１と複数の放送受信装置２０が各々備えるループスルー回路２１との接続態様を例示する図である。コンバータ１１と放送受信装置２０、放送受信装置２０同士、はそれぞれケーブルＣＡで接続されている。各放送受信装置２０内におけるループスルー回路２１の構成はいずれも同じであり、また、各放送受信装置２０はコンバータ電源供給部２４を同様に備える。ループスルー回路２１は概略、入力端子２２と、出力端子２３と、入力端子２２および出力端子２３を結ぶライン上に設けられたコンデンサＣ１およびコンデンサＣ２と、コンデンサＣ１，Ｃ２に挟まれたライン上に設けられたアンプ２５（例えば、低雑音アンプ。）と、を含む。また、コンデンサＣ１，Ｃ２に挟まれたライン上において、信号がアンプ２５を迂回して通過するルート（迂回ルート）も設けられている。
【００１４】
コンバータ電源供給部２４は、コンバータ１１へ供給する電源電圧（例えば１５Ｖ程度のＤＣ）を生成して出力可能な電源供給部に該当する。図２では、少なくともコンバータ１１とケーブルＣＡにより直接接続されている放送受信装置２０（最前段の放送受信装置２０）が備えるコンバータ電源供給部２４は、稼働状態にある。このコンバータ電源供給部２４は、生成した電源電圧をコイルＬおよびケーブルＣＡを介してコンバータ１１へ供給することによりコンバータ１１を稼働させる。
【００１５】
最前段の放送受信装置２０以外の放送受信装置２０が備えるコンバータ電源供給部２４の状態は、ユーザの操作等による設定次第であるが、稼働状態であっても停止していてもどちらでもよい。最前段の放送受信装置２０以外の放送受信装置２０が備えるコンバータ電源供給部２４が稼働状態にある場合、そのコンバータ電源供給部２４からは、コンバータ１１を稼働させるための電源電圧がコイルＬおよびケーブルＣＡを介して前段側の放送信号受信装置２０に入力される。しかし、このように入力された電源電圧は、当該前段側の放送信号受信装置２０内において、ループスルー回路２１内のコンデンサＣ２によりカットされ、結局、コンバータ１１までは供給されない。
【００１６】
本実施形態では、このようなコンバータ電源供給部２４が生成する電源電圧を、ループスルー回路２１の稼働にも用いる。特に、放送受信装置２０がスタンバイ状態（主電源がオンにさておらず、放送受信装置２０内の限られた構成のみが稼働している状態。スリープ状態とも言う。）において、コンバータ電源供給部２４が生成する電源電圧をループスルー回路２１の稼働にも用いるようにする。以下では、特に断らない限り、放送受信装置２０が備えるコンバータ電源供給部２４は稼働状態にあるものとして説明を行う。
【００１７】
図３は、放送受信装置２０の内部構成の一部であって、主に図２に示したループスルー回路２１の詳細な構成を示す図である。図３に示すように、ループスルー回路２１は、例えば、コンデンサＣ１の前後のそれぞれのラインとグラウンドとの間に抵抗Ｒ１，Ｒ２を有する。また、例えば、抵抗Ｒ２の先は、アンプ２５を通過するルート（増幅ルートと呼ぶ。）と上記迂回ルート２９とに分かれている。増幅ルート上には、例えば、ダイオードＤ３、コンデンサＣ３、アンプ２５、コンデンサＣ４、ダイオードＤ４が形成されている。一方、迂回ルート２９上には、例えば、ダイオードＤ１、ダイオードＤ２が形成されており、さらにダイオードＤ１，Ｄ２間のラインに対しては、抵抗Ｒ３がグラウンドとの間に設けられている。また、増幅ルートと迂回ルート２９との合流した先のライン上には、例えば、ラインとグラウンドとの間に設けられた抵抗Ｒ８、コンデンサＣ６、バルントランス（高周波トランス）２６、抵抗Ｒ９、ラインとグラウンドとの間に設けられた抵抗Ｒ１０、コンデンサＣ２が存在する。
【００１８】
入力端子２２とコンデンサＣ１との間と、迂回ルート２９と、の間にはコンバータ電源供給部２４により生成された電源電圧をループスルー回路２１（特に、迂回ルート２９）へ供給するループスルー電源供給回路２８が形成されている。ループスルー電源供給回路２８は、例えば、ライン上にツェナーダイオードＺや抵抗Ｒ１１を備える。
さらにループスルー回路２１に対しては、増幅ルートと接続するアンプ電源供給部３０および、迂回ルート２９と抵抗Ｒ１２を介して接続するループスルー電源供給部２７がそれぞれ配設されている。アンプ電源供給部３０及び又はループスルー電源供給部２７は、第二電源供給部に該当する。アンプ電源供給部３０と増幅ルートとの間には、例えば、コンデンサＣ３、アンプ２５およびコンデンサＣ４に対して並列接続された抵抗Ｒ４，Ｒ７や、抵抗Ｒ４，Ｒ７間とアンプ２５との間に直列接続された抵抗Ｒ５，Ｒ６、さらには、抵抗Ｒ５，Ｒ６間とグラウンドとの間に設けられたコンデンサＣ５が存在する。
【００１９】
アンプ電源供給部３０は、放送受信装置２０が備える電源供給制御部３１による制御の下、アンプ２５を稼働させる電源電圧を供給可能である。電源供給制御部３１は、ＣＰＵやメモリを備え、所定の電源制御プログラムに従った電源制御処理を実行する。また、ループスルー電源供給部２７は、電源供給制御部３１による制御の下、迂回ルート２９に電源電圧を供給可能である。また、コンバータ電源供給部２４の状態（稼働または停止）も、ユーザの操作等を受けた電源供給制御部３１によって制御される。
【００２０】
このような構成において、本実施形態では、放送受信装置２０の稼働時（主電源がオンにさており、スタンバイ状態ではない状態。）には、ループスルー回路２１に対し、アンプ電源供給部３０またはループスルー電源供給部２７によって電源供給がなされる。例えば、（入力端子２２から入力される放送信号の電波強度が基準値以下であれば）電源供給制御部３１は、アンプ電源供給部３０に電源供給を実行させ、アンプ２５を稼働状態にさせる。その結果、入力端子２２から入力される放送信号は、増幅ルートを経て増幅された後、出力端子２３から出力される。また、電源供給制御部３１は、入力端子２２から入力される放送信号の電波強度が上記基準値を超えていれば、ループスルー電源供給部２７に電源供給を実行させるとしてもよい。その結果、迂回ルート２９に電流が流れ、入力端子２２から入力される放送信号は、迂回ルートを経て出力端子２３から出力される。
【００２１】
一方、放送受信装置２０のスタンバイ時には、電源供給制御部３１は、アンプ電源供給部３０およびループスルー電源供給部２７を停止させる。この場合、コンバータ電源供給部２４が生成する電源電圧は、前段側に向かって供給されるだけでなく、ループスルー電源供給回路２８を介して迂回ルート２９に供給される。このとき、コンバータ電源供給部２４からの電源電圧は、ループスルー電源供給回路２８を構成するツェナーダイオードＺや抵抗Ｒ１１を経ることにより、所定値まで低下（例えば、１５Ｖから、３．３Ｖ〜５Ｖ程度まで低下）させられた上で迂回ルート２９に供給される。その結果、迂回ルート２９に電流が流れ、入力端子２２から入力される放送信号は、迂回ルートを経て出力端子２３から出力される。なお、例えば、迂回ルート２９が、ループスルー電源供給回路２８またはループスルー電源供給部２７からのラインのいずれかと択一的に接続するスイッチを設けるとしてもよい。そして電源供給制御部３１は、当該スイッチを制御し、放送受信装置２０の稼働時には迂回ルート２９とループスルー電源供給回路２８との接続を切状態とし、放送受信装置２０のスタンバイ時には迂回ルート２９とループスルー電源供給回路２８との接続を入状態とするとしてもよい。
【００２２】
このように本実施形態によれば、放送受信装置２０は、スタンバイ時において、コンバータ電源供給部２４がアンテナ１０のコンバータ１１を稼働させるために供給する電源電圧を利用してループスルー回路２１を稼働させる。つまり、放送受信装置２０は、ループスルー回路２１を稼働させる専用の電源供給源（アンプ電源供給部３０やループスルー電源供給部２７）を稼働させることなく自機のループスルー回路２１を稼働させることができ、放送信号を後段側へ通過させることができる。そのため、ループスルー回路に要する電力の消費を格段に抑制することが可能となる。
【００２３】
本発明は上述の実施形態に限られるものではなく、その要旨を逸脱しない範囲において種々の態様において実施することが可能であり、例えば以下のような変形例も可能である。
【００２４】
図４は、図１に示したコンバータ１１と複数の放送受信装置２０が各々備えるループスルー回路２１との接続態様を例示する図であって、図２とは異なる例を示している。
また、図５は、放送受信装置２０の内部構成の一部であって、主に図４に示したループスルー回路２１の詳細な構成を示す図である。以下、図４，５の説明においては、図２，３の説明と異なる点について記載する。図４，５の構成は、図２，３の構成と比較した場合、ループスルー電源供給回路２８は、迂回ルート２９と接続する部分から枝分かれした延長部分を持ち、当該延長部分によってコンデンサＣ２と出力端子２３との間の箇所に対して接続している点で異なる。ループスルー電源供給回路２８は、当該延長部分のライン上に、例えば、ローパスフィルタや抵抗からなるフィルタ回路３２や、ダイオードＤ５を備える。
【００２５】
つまり、図４，５の構成によれば、ループスルー電源供給回路２８は、コンバータ電源供給部２４により生成された電源電圧を、さらにループスルー回路２１の出力端子２３と接続する他の放送受信装置２０（後段側の放送受信装置２０）へ供給する。かかる構成とすれば、一つの放送受信装置２０内でコンバータ電源供給部２４が生成した電源電圧を、当該一つの放送受信装置２０内のループスルー回路２１を稼働させるために用いるとともに、一つ後段の放送受信装置２０内のループスルー回路２１から最後段の放送受信装置２０内のループスルー回路２１まで全てを稼働させるために用いることができる。すなわち、当該一つの放送受信装置２０より後段側の各放送受信装置２０においては、ループスルー電源供給部２７やアンプ電源供給部３０はもちろん、コンバータ電源供給部２４さえ停止させ、前段側からケーブルＣＡを通じて供給される電源電圧によりループスルー回路２１を有効状態とさせて（迂回ルート２９に電流を流し）、迂回ルート２９により放送信号を通過させることができる。従って、ループスルー回路を備える放送受信装置を複数備えるシステム全体として見たとき、ループスルー回路に要する電力の消費を格段に抑制することが可能となる。
【符号の説明】
【００２６】
１０…アンテナ、１１…コンバータ、２０…放送受信装置、２１…ループスルー回路、２２…入力端子、２３…出力端子、２４…コンバータ電源供給部、２８…ループスルー電源供給回路、２９…迂回ルート、３１…電源供給制御部
【図１】
2014022790.tif 000003
【図２】
2014022790.tif 000004
【図３】
2014022790.tif 000005
【図４】
2014022790.tif 000006
【図５】
2014022790.tif 000007